(57)【要約】      （修正有）【課題】大型２ストロークディーゼルエンジンのガス交換システムにおけるバタフライ弁がオープンループで制御されるシステムにおいて、その弁の開度とガス流量に対する作用との間の厳密な関係を知ることは重要。【解決手段】排気ガスにターボ過給機１６のタービン１７を制御可能に迂回させる排気迂回路内の流量を調節するための非線形弁３４、４４の特性を得る方法。エンジンを作動させている間に、非線形弁３４、４４を全閉位置から全開位置まで少しずつ開き、非線形流量調節弁３４、４４の各位置において掃気圧または他の適したエンジン動作パラメータを測定すること、および／またはこの非線形流量調節弁３４、４４を全開位置から全閉位置まで少しずつ閉じ、バタフライ弁の各位置において掃気圧を測定すること、を含む。その後、各弁位置とこれに対応する測定された掃気圧とを記録すること、記録された各位置と対応する掃気圧とを格納することを含む。【選択図】図２
2014228000.tif 000002
【特許請求の範囲】
【請求項１】
大型ターボ過給式低速２ストロークディーゼルエンジン（１）の排気迂回路に設けられた、前記排気迂回路内の流量を調節するために用いられる非線形弁（３４、４４）の特性を得る方法であって、前記排気迂回路は排気ガスにターボ過給機（１６）のタービン（１７）を制御可能な形態で迂回させることを可能にする、前記方法において、
前記エンジン（１）を作動させることと、
前記エンジンを作動させている間に、
前記非線形弁（３４、４４）を全閉位置から全開位置まで少しずつ開き、前記非線形弁（３４、４４）の各位置においてエンジン動作パラメータを測定することと、
および／または、前記非線形弁（３４、４４）を全開位置から全閉位置まで少しずつ閉じ、前記非線形弁（３４、４４）の各位置において前記エンジン動作パラメータを測定することと、
前記各弁位置と対応する前記測定されたエンジン動作パラメータ値とを記録することと；
を含むことを特徴とする方法。
【請求項２】
前記記録された各位置と、対応する測定されたエンジンパラメータ値とはマップまたはルックアップテーブルに格納される、請求項１に記載の方法。
【請求項３】
前記各弁位置と前記対応するエンジン動作パラメータ値とを測定している間、前記エンジン（１）は一定の負荷に維持されている、請求項１または２に記載の方法。
【請求項４】
前記測定はセッション中に行われ、前記非線形弁（３４、４４）は第１のセッションでは閉位置から開位置に動かされ、第２のセッションでは前記開位置から前記閉位置に動かされ、前記測定は複数の所定位置で行われ、前記複数の所定位置は前記第１のセッションと第２のセッションとで全く同じである、請求項１乃至３の何れか１項に記載の方法。
【請求項５】
前記第１および第２のセッション中に測定された前記エンジン動作パラメータの平均が前記マップまたはルックアップテーブルに格納される、請求項４に記載の方法。
【請求項６】
前記測定は一定間隔の前記弁位置毎に行われる、請求項１乃至５の何れか１項に記載の方法。
【請求項７】
前記弁角度と前記排気ガス迂回路を通って流れる前記排気ガスに対する実際の流量制限との間の関係を求めるために、前記測定されたエンジン動作パラメータ値を用いることを更に含む、請求項１乃至６の何れか１項に記載の方法。
【請求項８】
前記非線形弁（３４、４４）のオープンループ制御のために、前記非線形弁について前記得られた特性を用いる、請求項１乃至７の何れか１項に記載の方法。
【請求項９】
前記エンジン動作パラメータは、掃気圧、または前記ターボ過給機の速度、または燃焼圧、または前記エンジンを通る空気流量、または燃焼室内の温度、または排気ガス溜め内の温度、または前記ターボ過給機の前記タービンの下流の排気ガスの温度、または、前記エンジンが排気ガス再循環システムを有する場合は、排気ガス再循環圧、である、請求項１乃至８の何れか１項に記載の方法。
【請求項１０】
クロスヘッドを有する大型低速２ストロークディーゼルエンジン（１）であって、
一列に配置される複数のシリンダ（２）と、
コンプレッサ（１８）を駆動するタービン（１７）を有するターボ過給機（１６）と、
前記複数のシリンダ（２）に隣接し、該複数のシリンダ（２）に沿って延在する掃気溜め（２０）であって、前記複数のシリンダ（２）の各々の掃気ポート（２６）に接続される掃気溜め（２０）と、
前記コンプレッサ（１８）から前記掃気溜め（２０）に至る掃気流路と、
前記複数のシリンダ（２）に隣接し、該複数のシリンダ（２）に沿って延在する排気ガス溜め（１２）であって、前記複数のシリンダ（２）の各々の排気弁に接続される排気ガス溜め（１２）と、
前記排気ガス溜め（１２）から前記タービン（１７）に至る排気ガス流路と、
排気ガスが前記タービン（１７）を迂回できるようにする排気ガス迂回路と、
前記排気ガス迂回路を通る流量を調節するために前記排気ガス迂回路に設けられる非線形流量調節弁（３４、４４）と、
前記非線形流量調節弁の位置を調節するために、該非線形流量調節弁に作用しうるように接続されるアクチュエータと、
を備えるエンジン（１）において、
前記エンジン（１）は、マップまたはルックアップテーブルにアクセス可能な電子制御ユニットを備え、ここで前記マップまたはルックアップテーブルには、前記エンジンについて測定されたエンジン動作パラメータ値が、前記非線形流量調節弁（３４、４４）の動作域をカバーする複数の漸増位置のいずれかにマッピングされており、
前記電子制御ユニットは、前記非線形流量調節弁（３４、４４）のオープンループ制御用に構成され、
前記電子制御ユニットは、前記マップまたはルックアップテーブルに格納されたデータを用いて前記非線形流量調節弁（３４、４４）の位置を制御するために、前記アクチュエータに接続される、
ことを特徴とするエンジン（１）。
【請求項１１】
前記エンジン動作パラメータは、掃気圧、または前記ターボ過給機の速度、または燃焼圧、または前記エンジンを通る空気流量、または燃焼室内の温度、または前記排気ガス溜め内の温度、または前記ターボ過給機の前記タービンの下流の排気ガスの温度、または、前記エンジンが排気ガス再循環システムを有する場合は、排気ガス再循環圧、である、請求項１０に記載のエンジン。
【請求項１２】
大型ターボ過給式低速２ストロークディーゼルエンジン（１）の第１の排気ガス迂回路内の流量を調節するために、前記第１の排気ガス迂回路に設けられた非線形流量調節弁の特性を得る方法であって、前記エンジンは前記第１の排気ガス迂回路に平行に配置される第２の排気ガス迂回路を備え、前記第２の排気ガス迂回路は流量調節弁（３４、４４）を備え、前記流量調節弁（３４、４４）の位置と前記流量調節弁（３４、４４）によってもたらされる流量制限との間の関係が既知である方法において、前記方法は、
ａ）エンジン動作パラメータを測定し、前記測定されたエンジン動作パラメートを前記エンジン動作パラメータの初期値として記録するステップと、
ｂ）エンジン負荷を変えずに前記エンジンを作動させている状態で前記非線形流量調節弁（３４、４４）の位置を変化させるステップと、
その後、
ｃ）前記エンジン動作パラメータを測定し、前記測定された掃気圧が前記エンジン動作パラメータの前記初期値に一致するまで、前記流量調節弁（３４、４４）の位置を変化させるステップと、
ｄ）前記非線形流量調節弁（３４、４４）の特性を求めるために、前記エンジン動作パラメータ値に一致する位置における前記流量調節弁の位置変化と前記非線形流量調節弁の位置変化とを用いるステップと、
を含むことを特徴とする方法。
【請求項１３】
前記流量調節弁（３４、４４）の前記位置変化によって引き起こされる前記流通面積の変化は前記非線形流量調節弁（３４、４４）の前記位置変化によって引き起こされる前記流通面積の変化に等しく、これにより、前記非線形流量調節弁の前記位置変化に対応する前記流通面積の変化を求める、請求項１２に記載の方法。
【請求項１４】
前記非線形流量調節弁（３４、４４）の全開位置と全閉位置との間に分布する複数の弁位置を含む範囲に亘ってステップａ）からｄ）を繰り返すことと、前記測定された特性を記録することと、前記非線形流量調節弁（３４、４４）の弁角度と前記第１の排気ガス迂回路を通って流れる前記排気ガスに対する実際の流量制限との間の関係が格納されるマップまたはルックアップテーブルを作成することとを更に含む、請求項１３に記載の方法。
【請求項１５】
前記エンジン動作パラメータは、掃気圧、またはターボ過給機の速度、または燃焼圧、または前記エンジンを通る空気流量、または燃焼室内の温度、または排気ガス溜め内の温度、または前記ターボ過給機のタービンの下流の排気ガスの温度、または、前記エンジンが排気ガス再循環システムを有する場合は、排気ガス再循環圧、である、請求項１２乃至１４の何れか１項に記載の方法。
【発明の詳細な説明】
【技術分野】
【０００１】
本発明は、大型低速２ストロークディーゼルエンジンのガス交換システムに用いられるバタフライ弁の制御に関する。本発明は、特に、大型低速２ストロークディーゼルエンジンのガス交換システムに用いられるバタフライ弁のオープンループ制御に関する。
【背景技術】
【０００２】
クロスヘッドを有する大型低速ターボ過給式２ストロークディーゼルエンジンは、巨大で極めて効率的な動力産出機械である。これらエンジンのうち最大のものは、９４ｒｐｍで約１２０，０００ｋＷを産出し、全長が３６メートル、重量が最大４０００トンに達する。クロスヘッドを有するこれらの大型低速ターボ過給式２ストロークディーゼルエンジンにおいては、ガス交換システム内の排気ガス流量を調節するためにバタフライ弁または他の非線形弁を使用できる。例えば、排気ガスにターボ過給機のタービンを迂回させるために、排気ガスを流すことができる排気ガス迂回路にバタフライ弁を使用できる。特許文献１（デンマーク国特許第１７７３８８（Ｂ１）号）は、独立請求項１０の前提部分に記載の大型２ストロークディーゼルエンジンを開示している。
【０００３】
バタフライ弁の閉鎖機構は、円板の形態を取り、この円板の平面にある軸線を中心に管状パイプ区間内で回転可能である。バタフライ弁が一般に好まれるが、その理由は、他の弁デザインに比べ低価格であること、ならび軽量であること、つまりより少ない支持で済むことによる。円板はパイプの中心に位置付けられ、弁の外側でアクチュエータに接続されたロッドがこの円板を貫通している。アクチュエータを回転させると、円板は流れに平行に、または垂直に、回転する。円板は常に流れの中にある。したがって、弁位置に関係なく、流れには常に圧力降下が引き起こされる。バタフライ弁は、四半回転弁ファミリーの弁である。「バタフライ」は、ロッドに取り付けられた金属製円板である。弁が閉じられと、通路を完全に塞ぐように円板が回転される。弁を全開にすると、流体が殆ど制限されずに通過できるように、円板が四半回転される。流量を調節するために、弁は少しずつ開かれる。
【０００４】
バタフライ弁がオープンループで制御されるシステムにおいては、（精密に制御可能な）弁角度と実際の流通面積との間の厳密な関係を知っておくことが重要である。実際の流通面積とは、配管と、弁と、他のガス流量制限物体とが組み合わされた流通面積を意味する。オープンループとは、流量に対する弁の作用を求めることができる工程内測定がないことを意味する。
【０００５】
ただし、大型２ストロークディーゼルエンジンのガス交換システムにおける多くの用途では、弁の位置の作用を精密に制御することが必須である。したがって、バタフライ弁の（精密に分かる）位置とガス流量に対する作用との間の厳密な関係を知ることは大きな利点であろう。
【先行技術文献】
【特許文献】
【０００６】
【特許文献１】デンマーク国特許第１７７３８８（Ｂ１）号
【発明の開示】
【０００７】
上記を鑑みて、本発明の一目的は、排気迂回路に設けられた非線形弁のオープンループ制御のために、この非線形弁の特性を求めることができる方法を提供することである。
【０００８】
上記目的は、大型ターボ過給式低速２ストロークディーゼルエンジンの排気迂回路内の流量を調節するために、前記排気迂回路に設けられた非線形弁の特性を得る方法を提供することによって達成される。前記排気迂回路は、排気ガスにターボ過給機のタービンを制御可能に迂回させる。本方法は、エンジンを作動させることと、エンジンを作動させている間に、非線形弁を全閉位置から全開位置まで少しずつ開き、非線形弁の各位置においてエンジン動作パラメータを測定することと、および／または非線形弁を全開位置から全閉位置まで少しずつ閉じ、非線形弁の各位置においてエンジン動作パラメータを測定することと、各弁位置とこれに対応するエンジン動作パラメータ測定値とを記録することと、記録された各位置と対応するエンジン動作パラメータ値とを格納することと、を含む。
【０００９】
非線形弁のさまざまな位置においてエンジン動作パラメータを測定することによって、排気ガス迂回路に用いられた非線形弁の特性、すなわち、前記迂回路を通るガス流量に対する作用、を比較的精密に求めることができ、こうして得られた特性を非線形弁のオープンループ制御に用いることができる。
【００１０】
一実施形態において、記録された各位置と対応するエンジン動作パラメータ値とはマップまたはルックアップテーブルに格納される。
【００１１】
別の実施形態において、各弁位置とこれに対応するエンジン動作パラメータ値とを測定している間、エンジンは一定の負荷に維持される。
【００１２】
別の実施形態において、測定はセッションで行われる。弁は第１のセッションでは閉位置から開位置まで動かされ、第２のセッションでは開位置から閉位置まで動かされる。測定は複数の所定位置で行われる。この複数の所定位置は、第１のセッションと第２のセッションで全く同じである。
【００１３】
一実施形態においては、第１および第２のセッション中に測定されたエンジン動作パラメータ値の平均がマップまたはルックアップテーブルに格納される。
【００１４】
別の実施形態において、測定は一定間隔の弁位置毎に行われる。
【００１５】
一実施形態において、本方法は、弁角度と迂回路を流れる排気ガスに対する実際の流量制限との間の関係を求めるために、測定されたエンジン動作パラメータ値を用いることを更に含む。
【００１６】
動作パラメータとして、掃気圧、またはターボ過給機の速度、または燃焼圧、またはエンジンを通る空気流量、または燃焼室内の温度、または排気ガス溜め内の温度、またはターボ過給機のタービンの下流の排気ガスの温度、または、エンジンが排気ガス再循環システムを有する場合は、排気ガス再循環圧、を使用できる。
【００１７】
上記目的は、クロスヘッドを有する大型低速２ストロークディーゼルエンジンを提供することによっても達成される。このエンジンは、一列に配置される複数のシリンダと、コンプレッサを駆動するタービンを有するターボ過給機と、前記複数のシリンダに沿ってこれらシリンダの近くに延在して各シリンダの掃気ポートに接続される掃気溜めと、コンプレッサから掃気溜めに至る掃気流路と、前記複数のシリンダに沿ってこれらシリンダの近くに延在して各シリンダの排気弁に接続される排気ガス溜めと、排気ガス溜めからタービンに至る排気ガス流路と、排気ガスがタービンを迂回できるようにする排気ガス迂回路と、排気ガス迂回路を通る流量を調節するために排気ガス迂回路に配置される非線形弁と、前記非線形弁の位置を調節するために前記非線形弁に作用しうるように接続されるアクチュエータと、マップまたはルックアップテーブルにアクセスできる電子制御ユニットとを備える。ただし、前記マップまたはルックアップテーブルには、前記エンジンについて測定される複数のエンジン動作パラメータ値が、前記非線形弁の動作域をカバーする複数の漸増位置のいずれかにマッピングされている。この電子制御ユニットは前記非線形弁のオープンループ制御用に構成され、マップまたはルックアップテーブルに格納されるデータを用いて前記非線形弁の位置を制御するためにロータリアクチュエータに接続される。
【００１８】
上記目的は、大型ターボ過給式低速２ストロークディーゼルエンジンの第１の排気ガス迂回路内の流量を調節するために前記第１の排気ガス迂回路に設けられた非線形流量調節弁の特性を得る方法を提供することによっても達成される。前記エンジンは第１の排気ガス迂回路に平行に配置される第２の排気ガス迂回路を備える。第２の排気ガス迂回路は流量調節弁を備え、この流量調節弁の位置とこの流量調節弁によってもたらされる流量制限との間の関係は既知である。本方法は、ａ）エンジン動作パラメータ値を測定し、測定されるエンジン動作パラメータ値を初期エンジン動作パラメータ値として記録するステップと、ｂ）エンジン負荷を変えずにエンジンを作動させている状態で非線形流量調節弁の位置を変化させるステップと、その後、ｃ）エンジン動作パラメータ値を測定し、測定されるエンジン動作パラメータ値が初期エンジン動作パラメータ値に一致するまで流量調節弁の位置を変化させるステップと、ｄ）非線形流量調節弁の特性を求めるために、エンジン動作パラメータ値が一致した位置における流量調節弁の位置変化と非線形流量調節弁の位置変化とを用いるステップと、を含む。
【００１９】
もう一方の弁の位置を変化させて掃気圧を再均衡させることによって、排気ガス迂回路に用いられた非線形弁の特性、すなわち、前記迂回路を通るガス流量に対するその作用、を比較的精密に求めることができるので、こうして得られた特性を非線形弁のオープンループ制御に使用できる。
【００２０】
本方法の一実施形態において、流量制御弁の位置変化によって引き起こされる流通面積の変化は、非線形流量調節弁の位置変化によって引き起こされる流通面積の変化に等しい。したがって、非線形流量調節弁の位置変化に対応する流通面積の変化が求められる。
【００２１】
別の実施形態において、本方法は、非線形流量調節弁の全開および全閉位置の間に分布する複数の弁位置を含む範囲にわたってステップａ）からｄ）を繰り返すことと、測定された特性を記録することと、非線形流量調節弁の弁角度と第１の排気ガス迂回路を通って流れる排気ガスに対する実際の流量制限との間の関係が格納されるマップまたはルックアップテーブルを作成することを含む。
【００２２】
動作パラメータとして、掃気圧、またはターボ過給機の速度、または燃焼圧、またはエンジンを通る空気流量、または燃焼室内の温度、または排気ガス溜め内の温度、またはターボ過給機のタービンの下流の排気ガスの温度、または、エンジンが排気ガス再循環システムを有する場合は、排気ガス再循環圧、を使用できる。
【００２３】
本発明による方法およびエンジンの更なる目的、特徴、利点、および特性は、詳細な説明から明らかになるであろう。
【００２４】
本説明の以下の詳細部分においては、図面に示される例示的実施形態を参照して本発明をより詳細に説明する。
【図面の簡単な説明】
【００２５】
【図１】本発明による例示的エンジンの線図である。
【図２】図１のエンジンの廃熱回収システムの線図である。
【図３】図１のエンジンに設けられたバタフライ弁の特性を得る方法を示すグラフである。
【図４】非線形弁の特性を得るための一方法の一例示的実施形態を示すフローチャートである。
【図５】非線形弁の特性を得るための別の方法の別の例示的実施形態を示すフローチャートである。
【好適な実施形態の詳細な説明】
【００２６】
以下の詳細な説明においては、本発明によるクロスヘッドを有する大型低速ターボ過給式２ストロークディーゼルエンジンとこのクロスヘッド型大型ターボ過給式２ストロークディーゼルエンジンに用いられる非線形弁の弁特性を得る方法とを複数の例示的実施形態によって説明する。
【００２７】
図１および図２は、大型２ストロークディーゼルエンジン１の第１の例示的実施形態を示す。エンジン１は、例えば外航船の主エンジンとして、または発電所において発電機を作動させるための定置エンジンとして、用いられ得る。本エンジンの総出力は、例えば、２，０００ｋＷから１３０，０００ｋＷの範囲にわたり得る。
【００２８】
エンジン１は、互いに横並びに一列に配置される、複数のシリンダ２を備える。シリンダの数は一般的には５本から１４本である。各シリンダ２は、往復ピストン３を備える。各ピストン３は、ピストンロッド５と、クロスヘッド６と、コネクティングロッド７とを介して、クランク軸４に接続される。各クロスヘッド６は、ガイド面間で誘導されるクロスヘッド軸受を含む。
【００２９】
各シリンダ２には、シリンダカバーに配される排気弁１０が設けられる。排気弁１０によって排気経路を開閉できる。各排気経路は、排気ガス溜め１２に接続される排気屈曲部１１に至る。排気ガス溜め１２は大型の細長い円筒形容器であり、一列に並んだ複数のシリンダ２の上端の極めて近くにこのシリンダ列に沿って配設される。排気ガス溜め１２の容量は大きいので、各排気弁１０の開放時に個々のシリンダ２からの排気ガスの周期的流入によって引き起こされる複数の圧力パルスを均等化できる。排気ガス溜め１２の均等化作用は、排気ガス溜め１２の出口にほぼ一定の圧力をもたらす。排気ガス溜め１２の出口には一定の圧力が必要とされるが、その理由は、大型２ストロークディーゼルエンジンに用いられる１つ以上の排気ガス駆動式ターボ過給機１６が一定のフィード圧の恩恵を受けるからである。
【００３０】
排気ガス溜め１２からの排気ガスは、排気導管１４によってターボ過給機１６のタービン１７に向けて誘導される（複数のターボ過給機１６が存在可能）。これら排気ガスは、タービン１７の下流の雰囲気に送られる。ターボ過給機１６は定圧ターボ過給機である。すなわち、ターボ過給機１６は、排気ガス内の圧力パルスによって動作するように構成されていない。ターボ過給機１６は、軸流または放射流タービンを有し、最大約５００乃至５５０°Ｃの排気ガス温度用に構成される。
【００３１】
本エンジンは、廃熱回収ユニット３０を更に含む。排気ガス溜め１２からの排気ガスを制御された量だけ廃熱回収ユニット３０に送ることができる。廃熱回収ユニット３０については、図２を参照して以下により詳細に説明する。
【００３２】
ターボ過給機１６は、タービン１７によって駆動されるコンプレッサ１８を更に含む。コンプレッサ１８は空気取入れ口に接続される。コンプレッサ１８は、高圧掃気を掃気路２１経由で掃気溜め２０に供給する。掃気路２１は、掃気冷却装置２２と補助送風装置２３とを含み、補助送風装置２３には逆止弁２４が対応付けられている。コンプレッサ１８を支援して十分な掃気を維持するために、補助送風装置２３は一般には電気モータによって駆動され（油圧モータによっても駆動可能）、低負荷状態（一般にはエンジンの最大連続定格の４０％未満）で始動する。補助送風装置２３が用いられない場合は（一般にはエンジンの最大連続定格の４０％を超えている場合は）、逆止弁２４を介して迂回される。
【００３３】
掃気溜め２０は大型の細長い円筒形容器であり、一列に並んだ複数のシリンダ２の底部に沿ってこのシリンダ列の極めて近くに延在する。掃気溜め２０は、各シリンダの掃気ポート２６を介して、各シリンダに接続される。掃気溜め２０は容量が大きいので、各掃気ポート２６の開放時に個々のシリンダ２への掃気の周期的流出によって引き起こされる圧力降下を打ち消すことができる。掃気溜め２０による打消し効果は、ほぼ一定の圧力を掃気溜めにもたらすので、各シリンダ２に対してほぼ同じ掃気圧を利用できる。掃気溜め２０には一定の圧力が必要とされるが、その理由は、大型２ストロークディーゼルエンジンに用いられる１つ以上のターボ過給機１６は一定のフィード圧で作動されて一定のフィード圧を送り出すからである。すなわち、個々のシリンダ２の掃気に利用できる圧力パルスがない。掃気は掃気溜め２０から個々のシリンダ２の掃気ポート２６に送られる。
【００３４】
図２は、廃熱回収ユニット３０に関連するエンジンの諸局面を示す。廃熱回収ユニット３０は、図２に示されているように、排気ガスを排気ガス溜め１２から直接、または排気ガス溜め１２からターボ過給機１６のタービン１７に至る排気ガス導管１４からの分岐として、受け取る。排気ガス導管１４によってターボ過給機のタービン１７に送られる排気ガスの圧力を圧力センサ３７が測定する。掃気溜め２０内の掃気圧を圧力センサ３８が測定する。両圧力センサは、測定された圧力を受け取るエンジン電子制御ユニット（図示せず）に接続される。
【００３５】
廃熱回収ユニット３０は、排気ガスがターボ過給機１６のタービン１７を迂回できるようにする２つの平行する排気ガス迂回路を含む。第１の排気ガス迂回路は、オンオフ弁４１と電子制御式の非線形流量調節弁４４、好ましくはバタフライ弁、とを含む導管４２を含む。非線形流量調節弁４４の位置は、廃熱回収電子制御ユニットによって制御されるアクチュエータによって決められる。導管４２は排気ガスを動力タービン４８に送る。排気ガスは動力タービン４８から、エンジン１の排気ガス内の廃熱で加熱されるボイラー５０の上流に位置する導管４９によって、スタックに移送される。動力タービン４８の出力軸は蒸気タービン５６に作動的に接続され、動力タービン４８の出力と蒸気タービン５６の出力との組み合わせが発電機６０の駆動に用いられる。蒸気タービン５６用の蒸気を発生させるために、ターボ過給機１６からの排気ガス流と各排気ガス迂回路からの排気ガス流との合計がボイラー５０に供給される。蒸気タービン５６は、ボイラー５０から導管５２経由で蒸気を受け取り、導管５４経由で蒸気をボイラー５０に戻す。
【００３６】
第２の迂回路は、導管３２と電子制御式の非線形流量調節弁３４、好ましくはバタフライ弁、とを含む。非線形流量調節弁３４の位置は、電子制御ユニットによって制御されるアクチュエータによって制御される。第１の排気ガス迂回路の流量特性と同じ、または同様の、流量特性を第２の排気ガス迂回路にもたらすために、第２の排気ガス迂回路は流量制限子３６を更に含む。第２の排気ガス迂回路は、ボイラー５０の上流位置において、ターボ過給機１６のタービン１７からの主排気ガス流に排気ガスを送り出す。
【００３７】
非線形弁３４の位置は、エンジン電子制御ユニットによってオープンループで制御される。非線形弁４４の位置は、破線４７で示されているように、廃熱回収電子制御ユニットによって、実際には動力タービン制御ユニットによって、オープンループで制御される。
【００３８】
非線形弁３４、４４がオープンループで制御されるエンジン１の場合は、（精密に制御可能な）弁角度と実際の流通面積との間の厳密な関係を知ることが重要である。実際の流通面積とは、配管と、弁と、他のガス流量制限物体とが組み合わされた流通面積を意味する。オープンループとは、弁位置の作用が正確かどうかを判定できる工程内測定がないことを意味する。エンジンを保護しながら最大廃熱回収出力をもたらすために、この２つの排気ガス迂回路の実際の流通面積の合計は指定限度内に維持されるべきである。実際の流通面積を知るには、弁角度と実際の流通面積との間の関係を明確にする必要がある。
【００３９】
図４は、第１の排気ガス迂回路または第２の排気迂回路に設けられた非線形弁３４、４４のうちの一方の弁の特性を得る方法の一例示的実施形態のフローチャートを示す。本方法は、エンジン１を作動させることと、エンジン１を作動させている間に、非線形弁３４、４４を全閉位置から全開位置まで少しずつ開き、非線形弁３４、４４の各位置において掃気圧などのエンジンパラメータをセンサ３８で測定することと、その後に非線形弁を全開位置から全閉位置まで少しずつ閉じることと、を含む。
【００４０】
非線形弁３４、４４の各位置において、掃気圧（または他の適したエンジン動作パラメータ）がセンサ３８によって測定される。各弁位置と、これに対応して測定された掃気圧とが記録され、マップまたはルックアップテーブルに格納される。このマップまたはルックアップテーブルに対して、当該非線形弁３４、４４を制御する電子制御ユニットからのアクセスが許容される。
【００４１】
各弁位置とこれに対応する掃気圧との測定中、エンジン１は一定負荷に維持されることが好ましい。測定はセッション中に行われる。弁は第１のセッションでは閉位置から開位置まで動かされ、第２のセッションでは開位置から閉位置まで動かされる。測定は複数の所定位置で行われる。この複数の所定位置は、第１のセッションと第２のセッションで全く同じである。
【００４２】
第１および第２のセッション中に測定された掃気圧の平均がマップまたはルックアップテーブルに格納される。測定は、一定の間隔を空けて、複数の弁位置において行われる。測定された掃気圧は、弁角度と当該排気ガス迂回路を通って流れる排気ガスに対する実際の流量制限との間の関係とを求めるために用いられる。
【００４３】
この結果は図３のグラフに見られる。実線は本方法の適用結果を示し、破線は実際の掃気圧を示す。
【００４４】
非線形弁３４、４４について得られた弁特性は、非線形弁３４、４４のオープンループ制御のために、当該非線形弁を制御する電子制御ユニットによって用いられる。
【００４５】
本方法は、例えば排気ガス迂回路の摩耗および／または詰まりによって、継時変化する状態に各弁の弁特性を適応させるための自動調整にも使用可能である。
【００４６】
弁３４、４４のうち一方の特性が既知である場合は、もう一方の非線形弁３４、４４の特性を別の方法で求めることができる。この別の方法の一例示的実施形態が図５のフローチャートに示されている。この方法は、
ａ）掃気圧を測定し、この測定された掃気圧を初期掃気圧として記録するステップと、
ｂ）エンジンを作動させている状態で、エンジン負荷を変化させずに、特性が未知の非線形流量調節弁４４の位置を変化させるステップと、
その後、
ｃ）掃気圧を測定し、測定される掃気圧が初期掃気圧に一致するまで、特性が既知の流量調節弁３４の位置を変化させるステップと、
ｄ）非線形流量調節弁４４の特性を求めるために、掃気圧が一致した位置における流量調節弁３４の位置変化と非線形流量調節弁４４の位置変化とを用いるステップと、
を含む。
【００４７】
流量制御弁３４の位置変化によって引き起こされる流通面積の変化は、非線形流量調節弁４４の位置変化によって引き起こされる流通面積の変化に等しい。したがって、非線形流量調節弁４４の位置変化に対応する流通面積の変化が求められる。
【００４８】
非線形流量調節弁４４の全開位置と全閉位置との間に分布している、非線形流量調節弁４４の複数の位置を含む範囲にわたって、ステップａ）からｄ）が繰り返される。測定された特性は記録され、マップまたはルックアップテーブルが作成される。このマップまたはルックアップテーブルには、非線形流量調節弁４４の弁角度と、第１の排気ガス迂回路を通って流れる排気ガスに対する実際の流量制限との間の関係が格納される。
【００４９】
一実施形態において、非線形弁３４、４４の位置と実際の流量制限との間の関係を含むマップは、エンジン１の動作範囲に含まれる複数のエンジン負荷をカバーする。これによって三次元マップが形成される。
【００５０】
一実施形態において（図示せず）、エンジンは排気ガス再循環システムを備える。排気ガス再循環システムは、排気ガス流の一部を、例えば、再循環された排気ガスを掃気流に供給することによって、シリンダに供給する（すなわち再循環させる）。
【００５１】
上記の各実施形態は掃気圧をエンジン動作パラメータとして用いているが、非線形弁の位置変化によって影響される他のエンジンパラメータの何れかを代わりに使用することも可能であることは明らかである。他のエンジンパラメータとして、例えばターボ過給機の速度、または燃焼圧、またはエンジンを通る空気流、または燃焼室内の温度、または排気ガス溜め内の温度、またはターボ過給機のタービンの下流の排気ガスの温度、または、エンジンが排気ガス再循環システムを有する場合は、排気ガス再循環圧、が挙げられる。使用されるエンジンパラメータの値を求めるために、対応するセンサがエンジンに設けられることになる。
【００５２】
本出願の教示は例示を目的として詳細に説明されているが、このような詳細は例示のためだけであり、当業者は本出願の教示の範囲を逸脱することなく複数の変形を行えることを理解されたい。
【００５３】
用語「備える／含む（"ｃｏｍｐｒｉｓｉｎｇ"）」は、請求項で用いられた場合、他の要素またはステップを排除しないものとする。単語の単数形（すなわち、不定冠詞「"ａ"」または「"ａｎ"」が付いた単語）は、請求項で用いられた場合、複数を排除しないものとする。単一のプロセッサまたは他のユニットは、特許請求の範囲に列挙されているいくつかの手段の機能を果たし得るものとする。
【図１】
2014228000.tif 000003
【図２】
2014228000.tif 000004
【図３】
2014228000.tif 000005
【図４】
2014228000.tif 000006
【図５】
2014228000.tif 000007
【外国語明細書】
2014228000000001.pdf